(57)【特許請求の範囲】
【請求項１】
ボトルケースの内法に対応する矩形状のシートからなり、その少なくとも２つの側縁に係止片を設けており、該係止片は、
前記側縁から９０度未満の所定角度（α）で傾斜して延びる折曲線と、
前記折曲線の先端から前記傾斜角度（α）と反対側に屈曲し、その先端が同一の前記側縁にかけて延びる切断部と、
前記折曲線と切断部との間の側縁に設けられ、前記ボトルケースの側壁に形成された把手用開口に係止する係止溝部と
からなることを特徴とするボトルケース用カバー。
【発明の詳細な説明】
【０００１】
【発明の属する技術分野】
本発明は、本発明は、清涼飲料、ジュース、ビール、清酒等の飲料ボトルの複数本をまとめて搬送する合成樹脂製ボトルケースの上面を覆うボトルケース用カバーに関するものである。
【０００２】
【従来の技術】
従来、清涼飲料、ジュース、ビール、清酒等の飲料ボトルを搬送および配達する場合、ボトルケース単位で行われことがある。また、ボトルケースに収容した飲料ボトルは、この状態で積み重ねられて保管される。しかし、特に、最上段に位置するボトルケースの飲料ボトルは、露出したままの状態で保管されるため、埃などが飲料ボトルに付着し、外観が悪くなるという問題があった。また、光が照射されることにより、中身の飲料が変質という不都合があった。
【０００３】
このような問題を防止でき、本発明に関連する先行技術文献情報としては次のものがある。
【０００４】
【特許文献１】
特開平９−１５０８４７号公報
【０００５】
前記特許文献１では、ボトルケースの内法に対応する矩形状の厚紙シートからなるボトルケース用カバーを設け、前記ボトルケースの上部を覆うようにしている。このカバーには、対向する一対の側縁に係止用の耳部が突設されている。
【０００６】
前記カバーは、ボトルケースに対して上方から押し込むことにより、ボトルケースの側壁に形成された把手用開口に前記耳部を係止させることにより、取付状態が維持される。これにより、保管状態で埃などが飲料ボトルに付着し、外観が悪くなることを防止するとともに、光を遮断して中身の飲料が変質することを防止できる。
【０００７】
【発明が解決しようとする課題】
しかしながら、前記ボトルケース用カバーは、ボトルケースに対する係止用の耳部が側縁から突出しているため、多数の打ち抜き屑が発生し、材料ロスが多く、コスト高になるという問題がある。カバーをボトルケースに取り付ける作業、および、取り外す作業のいずれでも、突出した耳部を変形させる必要があるため、作業性が悪いという問題がある。また、前記変形作業により耳部の腰が弱くなるため、再利用の面で難点がある。また、前記カバーは、飲料ボトルの上端がボトルケースの把持用開口から上方に突出する場合には使用できず、特定の飲料ボトルとボトルケースの組み合わせでしか使用できないという問題がある。
【０００８】
そこで、本発明では、打ち抜き屑の発生を防止し、着脱作業性の向上を図るとともに、複数回にわたった再利用が可能なボトルケース用カバーを提供することを課題とするものである。
【０００９】
【課題を解決するための手段】
前記課題を解決するため、本発明のボトルケース用カバーは、ボトルケースの内法に対応する矩形状のシートからなり、その少なくとも２つの側縁に係止片を設けており、該係止片は、前記側縁から９０度未満の所定角度（α）で傾斜して延びる折曲線と、前記折曲線の先端から前記傾斜角度（α）と反対側に屈曲し、その先端が同一の前記側縁にかけて延びる切断部と、前記折曲線と切断部との間の側縁に設けられ、前記ボトルケースの側壁に形成された把手用開口に係止する係止溝部とからなる構成としている。
【００１０】
【発明の実施の形態】
以下、本発明の実施の形態を図面に従って説明する。
図１は、本願発明に係るボトルケース用カバー１０を示す。なお、このカバー１０を取り付けるボトルケース１は、６×４の配列で飲料ボトル３を収容可能な略直方体形状をなす樹脂製のもので、その４つの周壁上部に把持用開口２を設けた周知のものである。
【００１１】
前記カバー１０は、図２に示すように、ボトルケース１の内法に対応する矩形状の段ボール紙製のシートからなる。そして、その対向する一対の側縁１０ａの中央部には、折り曲げによりボトルケース１の把持用開口２に係止可能な係止片１１が設けられている。
【００１２】
前記係止片１１は、側縁１０ａから右向きに所定角度αで傾斜する折曲線１２と、該折曲線１２の先端から該折曲線１２の傾斜角度αと反対側に屈曲して延びる略Ｌ字形状の切断部１３と、これら折曲線１２と切断部１３との間の側縁１０ａに設けた係止溝部１４とからなる。
【００１３】
前記折曲線１２は、段ボール紙の肉厚を圧縮して形成したものである。そして、この折曲線１２は、前記側縁１０ａに対する傾斜角度αが９０度未満で傾斜するように構成している。本実施形態では、この傾斜角度αは、約６０度としている。
【００１４】
前記切断部１３は、前記折曲線１２の先端にから前記傾斜角度αと反対側である左向きに屈曲して所定角度で傾斜して延びる第１切断部１３ａと、該第１切断部１３ａの先端から同一の側縁１０ａに向かうように湾曲して延びる円弧状の第２切断部１３ｂと、該第２切断部１３ｂの先端から前記側縁１０ａに直交するように延びる第３切断部１３ｃとからなる。なお、前記第１切断部１３ａは、前記折曲線１２に沿ってシート面に対して直交する方向に折り曲げた状態で、略垂直に延びるように構成している。即ち、この第１切断部１３ａは、前記折曲線１２に対して略９０度屈曲して設けられている。
【００１５】
前記係止溝部１４は、側縁１０ａにおいて、前記折曲線１２と切断部１３との間の側縁１０ａを略Ｌ字形状に打ち抜いて形成した切り欠きからなる。この係止溝部１４の一辺１４ａは、前記第１切断部１３ａと平行になるように形成されている。また、係止溝部１４の他の一辺１４ｂは、辺１４ａに対して略９０度屈曲して設けられている。
【００１６】
また、本実施形態のカバー１０には、前記第３切断部１３ｃと側縁１０ａとの交差部分に、切欠部１５が設けられている。この切欠部１５は、前記係止片１１をボトルケース１の把持用開口２に係止させた状態で、ボトルケース１の表面から係止片１１が突出するのを防止する役割をなす。
【００１７】
さらに、本実施形態のカバー１０の中央には、引き上げ作業用の指差孔１６が設けられている。なお、この指差孔１６は、必ずしも形成する必要はない。
【００１８】
前記構成のカバー１０を飲料ボトル３を収容したボトルケース１上に配置した場合、図２に示すように、前記係止片１１が隣接する２本の飲料ボトル３の隙間に位置するとともに、前記指差孔１６が４本の飲料ボトル３に囲まれた隙間に位置する。
【００１９】
また、このように打ち抜かれたカバー１０は、外形が矩形状をなし、各側縁１０ａ，１０ｂからは突出した部分が存在しない。そのため、無駄な打ち抜き屑の発生を防止できる。その結果、材料ロスを低減でき、コストダウンを図ることができる。また、保管状態で埃などが飲料ボトル３に付着し、外観が悪くなることを防止するとともに、光を遮断して中身の飲料が変質することを防止できる。
【００２０】
次に、前記カバー１０のボトルケース１への着脱作業について説明する。
【００２１】
まず、前記カバー１０でボトルケース１の上部を覆った状態で係止する場合には、前述のようにカバー１０をボトルケース１の上部に載置した状態で、前記係止片１１を下向きに押し下げる。そうすると、折曲線１２に沿って係止片１１が下向きに折れ曲がり、また、前記折曲線１２の傾斜角度αにより係止溝部１４が側縁１０ａより突出する。これにより、図３（Ａ），（Ｂ）に示すように、前記係止溝部１４がボトルケース１の把持用開口２の上縁に係止し、取付状態を維持することができる。言い換えれば、前記係止片１１は、下向きに押し下げるだけで、その係止溝部１４がボトルケース１の内側から把持用開口２の上部を迂回するようにして把持用開口２内に進入し、係止する。
【００２２】
一方、前記カバー１０をボトルケース１から取り外す場合には、把持用開口２の側部から垂直に延びる係止片１１を横方向にスライドさせる。これにより、係止片１１と把持用開口２との係止を簡単に解除される。言い換えれば、前記係止片１１は、横方向にスライドさせるだけで、その係止溝部１４がボトルケース１の把持用開口２の上部を迂回するように内向きに移動し、係止状態を解除する。この状態で、前記指差孔１６に指を差し込んで上向きに引き上げることにより、簡単に取り外すことができる。
【００２３】
このように、本実施形態のカバー１０は、係止片１１を押し下げるだけでボトルケース１に簡単に取り付けることができる一方、係止片１１を横向きにスライドさせるだけでボトルケース１から簡単に取り外すことができる。そのため、着脱作業に係る作業性を大幅に向上することができる。
【００２４】
また、この着脱作業では、その係止片１１は、前述のように迂回しながら係止または係止解除されるため、ボトルケース１に干渉することにより、係止片１１の腰が弱くなることを抑制できる。そのため、従来のカバーと比較すると、再利用可能な回数を大幅に増大できる。
【００２５】
さらに、本実施形態のカバー１０は、前述のように係止片１１の押し下げにより、その係止溝部１４が側縁１０ａから外方に突出する。そのため、図３（Ａ），（Ｂ）に示すように、全高が異なる飲料ボトル３であっても、その差を吸収して係止溝部１４で把持用開口２に係止することが可能である。即ち、本実施形態のカバー１０では、飲料ボトル３の上端が把持用開口２の上縁から上方に突出していれば、使用することができる。そのため、飲料ボトル３とボトルケース１の組み合わせの制限を緩和することができる。
【００２６】
なお、本発明のボトルケース用カバー１０は、前記実施形態の構成に限定されるものではない。
例えば、前記実施形態では、対向する側縁１０ａ，１０ａに設けた係止片１１，１１は、その折曲線１２がそれぞれ同一の右向きに傾斜するように構成したが、互いに逆向きに傾斜するように構成してもよい。
【００２７】
また、前記実施形態では、係止片１１を対向する側縁１０ａの中央に設けたが、中央でなくでもよい。また、対向する側縁１０ａに限られず、一方の側縁１０ａと、一方の側縁１０ｂにそれぞれ１つづつ設けてもよい。また、係止片１１は、２つの側縁１０ａに限られず、３以上の側縁１０ａ，１０ｂに設けてもよい。即ち、４つの側縁１０ａ，１０ｂのうち、所定の２つの側縁１０ａ，１０ｂに設ければよい。
【００２８】
また、前記係止片１１を形成する折曲線１２、切断部１３および係止溝部１４の傾斜角度や形状を含む構成は希望に応じて変更が可能である。
【００２９】
【発明の効果】
以上の説明から明らかなように、本発明のボトルケース用カバーでは、矩形状のシートに折曲線と切断部と係止溝部とで構成する係止片を設け、この係止片によりボトルケースへの取付状態を維持する構成としている。即ち、このカバーには、各側縁から突出した部分が存在しないため、無駄な打ち抜き屑の発生を防止でき、その結果、材料ロスを低減でき、コストダウンを図ることができる。
【００３０】
また、ボトルケース用カバーは、前記係止片を押し下げるだけでボトルケースに簡単に取り付けることができる一方、係止片を横向きにスライドさせるだけでボトルケースから簡単に取り外すことができるため、着脱作業に係る作業性を大幅に向上することができる。
【００３１】
また、前記着脱作業では、その係止片は、前記折曲線を所定角度で傾斜させ、迂回させながら係止または係止解除できるようにしているため、ボトルケースに干渉することによって係止片の腰が弱くなることを抑制でき、再利用可能な回数を大幅に増大できる。
【図面の簡単な説明】
【図１】本発明の実施形態に係るカバーをボトルケースに取り付けた状態を示す斜視図である。
【図２】カバーの平面図である。
【図３】図１の所定位置を切断した断面図である。
【符号の説明】
１…ボトルケース、２…把持用開口、３…飲料ボトル、１０…カバー、１０ａ，１０ｂ…側縁、１１…係止片、１２…折曲線、１３…切断部、１４…係止溝部、α…傾斜角度。
【図１】
0003625459.tif 000002
【図２】
0003625459.tif 000003
【図３】
0003625459.tif 000004